【事件の表示】
　特許第２８５９８１８号「印刷紙の乾燥防止装置」の特許に対する特許異議の申立てについて、次のとおり決定する。
【結　論】
　訂正を認める。
　特許第２８５９８１８号の請求項１ないし６に係る特許を維持する。
【理　由】
［手続の経緯］
　本件特許第２８５９８１８号の特許請求の範囲の請求項１〜６に係る発明の出願は、平成６年１０月１２日の出願であって、平成１０年１２月４日にその特許の設定登録がなされ、その後、その特許についてニッカ株式会社より特許異議の申立がなされ、当審において取消理由の通知がなされたところ、その指定期間内である平成１２年４月１３日に訂正請求がなされたものである。
　　　　　　
　　　　　　
［訂正の適否についての判断］
【１】訂正の内容
〔１〕訂正事項ａ
　特許明細書中、特許請求の範囲の請求項１において、「前記供給ロールを支持するハウジングに対して移動可能に取り付けられるケース」を、「前記供給ロールを支持するハウジングに対して水平方向に移動可能に取り付けられるケース」と訂正する。
〔２〕訂正事項ｂ
　特許明細書中、特許請求の範囲の請求項１において、「前記ケースに設けられ、加湿液の貯えられた貯留手段」を、「前記ケースの下部に設けられ、加湿液の貯えられた貯留手段」と訂正する。
〔３〕訂正事項ｃ
　特許明細書中、特許請求の範囲の請求項１において、「前記ケースに設けられ、前記貯留手段に貯えられた加湿液を外部へ搬出する搬出手段」を、「前記貯留手段に貯えられた加湿液に下部を浸すようにして前記ケースに回転自在となるように設けられ、前記貯留手段に貯えられた加湿液を外部へ搬出する搬出手段」と訂正する。
〔４〕訂正事項ｄ
　特許明細書中、特許請求の範囲の請求項１において、「前記ケースに設けられ、前記搬出手段により搬出された加湿液を搬出手段から適量だけ分離しはじき飛ばす分離手段」を、「前記搬出手段の上方において前記ケースに設けられ、前記搬出手段により搬出された加湿液を搬出手段から適量だけ分離しはじき飛ばす分離手段」と訂正する。
〔５〕訂正事項ｅ
　特許明細書中、特許請求の範囲の請求項１において、「前記供給手段が前記供給ロールに当接する当接位置と前記供給手段が前記供給ロールから離間する離間位置との間で」を、「前記供給手段が前記供給ロールに対して印刷紙を押圧する当接位置と前記供給手段が前記供給ロールから離間する離間位置との間で」と訂正する。
〔６〕訂正事項ｆ
　特許明細書中、特許請求の範囲の請求項１において、「前記ケースを前記供給ロールに対して移動させる移動手段」を、「前記ケースを前記供給ロールに対して水平方向に移動させる移動手段」と訂正する。
〔７〕訂正事項ｇ
　特許明細書中、発明の詳細な説明の段落【０００６】（【課題を解決するための手段】）において、「本発明の印刷紙の乾燥防止装置は、印刷され乾燥された後に供給ロールの外周に巻き付けられて供給される印刷紙の乾燥防止装置において、前記供給ロールを支持するハウジングに対して移動可能に取り付けられるケースと、前記ケースに設けられ、加湿液の貯えられた貯留手段と、前記ケースに設けられ、前記貯留手段に貯えられた加湿液を外部へ搬出する搬出手段と、前記ケースに設けられ、前記搬出手段により搬出された加湿液を搬出手段から適量だけ分離しはじき飛ばす分離手段と、前記分離手段から離れて前記ケースに設けられ、前記分離手段により分離されはじき飛ばされた加湿液を受け、前記供給ロールに対向して印刷紙を押圧しつつ該受け取った加湿液を印刷紙に供給する供給手段と、前記供給手段が前記供給ロールに当接する当接位置と前記供給手段が前記供給ロールから離間する離間位置との間で、前記ケースを前記供給ロールに対して移動させる移動手段とからなることを特徴とする。」を、「本発明の印刷紙の乾燥防止装置は、印刷され乾燥された後に供給ロールの外周に巻き付けられて供給される印刷紙の乾燥防止装置において、前記供給ロールを支持するハウジングに対して水平方向に移動可能に取り付けられるケースと、前記ケースの下部に設けられ、加湿液の貯えられた貯留手段と、前記貯留手段に貯えられた加湿液に下部を浸すようにして前記ケースに回転自在となるように設けられ、前記貯留手段に貯えられた加湿液を外部へ搬出する搬出手段と、前記搬出手段の上方において前記ケースに設けられ、前記搬出手段により搬出された加湿液を搬出手段から適量だけ分離しはじき飛ばす分離手段と、前記分離手段から離れて前記ケースに設けられ、前記分離手段により分離されはじき飛ばされた加湿液を受け、前記供給ロールに対向して印刷紙を押圧しつつ該受け取った加湿液を印刷紙に供給する供給手段と、前記供給手段が前記供給ロールに対して印刷紙を押圧する当接位置と前記供給手段が前記供給ロールから離間する離間位置との間で、前記ケースを前記供給ロールに対して水平方向に移動させる移動手段とからなることを特徴とする。」と訂正する。
　　　　　　
【２】訂正の目的の適否、新規事項の有無および拡張，変更の存否
〔１〕訂正事項ａ〜ｆについて
　これらの訂正は、特許明細書の「一部のみ示す冷却装置１００のハウジング１０１に、乾燥防止装置２００のケース２０１が水平方向に移動自在に設けられている。ケース２０１の下部には、箱状の水舟２０２が設けられており、水舟２０２内には加湿液である水が貯留されている。なお、水舟２０２が貯留手段を構成する。」（段落【０００９】），「水舟２０２に貯留された水に下部を浸すようにして、水元ロール２０３がケース２０１に対して回転自在となるように配置されている。・・・なお、水元ロール２０３とモータ２０４及び歯付ベルト２０５で搬出手段を構成する。」（段落【００１０】），「水元ロール２０３の上方において、ブラシロール２０６がケース２０１に対して回転自在となるよう配置されている。・・・なお、ブラシロール２０６とモータ２０７及び歯付ベルト２０８で分離手段を構成する。」（段落【００１１】），「ハウジング１０１に対して、ケース２０１を水平方向に駆動するエアシリンダー２１４が設けられている。エアシリンダー２１４が引っ込んだ位置では、水着ロール２１２が印刷紙Ｐを介在させつつ冷却ロール１０２に当接しており、一方エアシリンダー２１４が延びきった位置では、水着ロール２１２と冷却ロール１０２とは離隔するようになっている。エアシリンダー２１４が移動手段を構成する。」（段落【００１４】）の記載、及び図面の記載の範囲内で、特許請求の範囲の請求項１の構成を限定するものであり、特許請求の範囲の減縮を目的とするものであって、新規事項の追加に該当せず、実質上特許請求の範囲を拡張し又は変更するものではない。
〔２〕訂正事項ｇについて
　この訂正は、上記訂正事項ａ〜ｆの訂正に伴い、それとの整合を図るために発明の詳細な説明の記載を訂正するものであり、明りょうでない記載の釈明を目的とするものであって、新規事項の追加に該当せず、実質上特許請求の範囲を拡張し又は変更するものではない。
　　　　　　
【３】独立特許要件
　訂正後の請求項１〜６に係る発明は、後述するように、特許出願の際独立して特許を受けることができるものである。
　　　　　　
【４】訂正の適否についてのまとめ
　以上のとおりであるから、特許明細書に対する上記訂正は、特許法等の一部を改正する法律（平成６年法律第１１６号、以下「平成６年改正法」という）附則第６条第１項の規定によりなお従前の例によるとされる、平成１１年改正前の特許法第１２０条の４第３項において準用する平成６年改正法による改正前の特許法第１２６条第１〜３項の規定に適合するので、当該訂正を認める。
　　　　　　　
　　　　　　　
［特許異議申立について］
【１】訂正後の請求項１〜６に係る発明
　訂正後の請求項１〜６に係る発明（以下それぞれ「本件発明１〜６」という）は、訂正明細書及び図面の記載からみて、その特許請求の範囲の請求項１〜６に記載された事項により特定される以下のとおりである。
　「【請求項１】印刷され乾燥された後に供給ロールの外周に巻き付けられて供給される印刷紙の乾燥防止装置において、前記供給ロールを支持するハウジングに対して水平方向に移動可能に取り付けられるケースと、前記ケースの下部に設けられ、加湿液の貯えられた貯留手段と、前記貯留手段に貯えられた加湿液に下部を浸すようにして前記ケースに回転自在となるように設けられ、前記貯留手段に貯えられた加湿液を外部へ搬出する搬出手段と、前記搬出手段の上方において前記ケースに設けられ、前記搬出手段により搬出された加湿液を搬出手段から適量だけ分離しはじき飛ばす分離手段と、前記分離手段から離れて前記ケースに設けられ、前記分離手段により分離されはじき飛ばされた加湿液を受け、前記供給ロールに対向して印刷紙を押圧しつつ該受け取った加湿液を印刷紙に供給する供給手段と、前記供給手段が前記供給ロールに対して印刷紙を押圧する当接位置と前記供給手段が前記供給ロールから離間する離間位置との間で、前記ケースを前記供給ロールに対して水平方向に移動させる移動手段とからなる乾燥防止装置。
　【請求項２】前記搬出手段は、前記貯留手段に下部を浸している回転自在な水元ロールからなる請求項に１記載の乾燥防止装置。
　【請求項３】前記水元ロールの回転速度は調節自在となっている請求項２に記載の乾燥防止装置。
　【請求項４】前記分離手段は、先端部を前記水元ロールに当接させたブラシを外周に植設された回転自在なブラシロールからなる請求項２又は３に記載の乾燥防止装置。
　【請求項５】前記ブラシロールと前記水元ロールとの軸間距離を変更する変更手段を設けた請求項４に記載の乾燥防止装置。
　【請求項６】前記供給手段は、前記供給ロールに当接する水着ロールと、前記水着ロールに当接する慣らしロールとからなる請求項１に記載の乾燥防止装置。」
　　　　　
【２】異議申立の理由の概要
　異議申立人は証拠方法として、甲第１号証〔実願平３−５１２８１号（実開平５−５４５１号）のＣＤ−ＲＯＭ〕、甲第２号証〔ドイツ連邦共和国特許出願公開第４０２１２９６号明細書〕、及び、甲第３号証〔特開昭６１−２５４３４５号公報〕を提出し、本件発明１，６は、本件出願前に公知である甲第１号証及び甲第２号証に記載された発明に基づき当業者が容易に発明をすることができたものと認められ、本件発明２〜５は、本件出願前に公知である甲第１号証，甲第２号証及び甲第３号証に記載された発明に基づき当業者が容易に発明をすることができたものと認められるから、本件発明１〜６の特許は、特許法第２９条第２項の規定に違反してされたものである旨主張している。
　　　　　　
【３】甲各号証に記載された発明
〔１〕甲第１号証〔実願平３−５１２８１号（実開平５−５４５１号）のＣＤ−ＲＯＭ〕
　甲第１号証には、印刷機のウエブを冷却する冷却ローラの付帯装置である水供給装置、即ち、ウエブの乾燥防止装置に関する発明が図面とともに記載され、
　従来技術の問題点に関して、「（２）「火じわ」の原因はつぎのように考えられる。ウエブ２にインキが塗布された印刷部と、そうでない白紙部では、ドライヤ５内における加熱時、水分の蒸発量が異なり、白紙部の方が、印刷部よりも水分蒸発量は大である。この水分蒸発量の差により、ウエブ内の印刷部と白紙部の収縮量に差が生じ、この差が、印刷部にしわを生じさせる・・・、この後、ウエブ２は冷却ロール８上で、冷却されるが、冷却ロール８上は平坦であり、幅方向に紙を引張る力は無いので、ドライヤ５内で生じた、印刷部のしわは、冷却ロール８上でしわのまま残る。このとき、このままの状態で、インキが冷却により固化すると、インキ膜の拘束力によって、しわが残留し、「火じわ」となる。」（段落【０００３】７〜１６行），「（４）さらには図６に示す様に、水噴出用ノズル９を取りつけ、ここには示さない水供給ポンプからの水をウエブ２に吹きつけて、全体の水分蒸発量の差を少なくする方法もとられてきているが、ノズル９から冷却ローラ８に至るまでに数分の一秒しか要せず、そのままでは紙の中へ十分浸透しないためにしわの発生原因である収縮量を十分均一なものにすることはできなかった。またこの方法では、大きな水滴が局所的にウエブ２に付く時があり、最悪の場合は断紙に至ることもあり、大量の水を付けることができなかったので、十分な効果を上げることができなかった。」（段落【０００３】２０〜２７行、図６）と記載され、
　ウエブの乾燥防止装置の構成に関して、「本考案の実施例を図１乃至図４について説明する。冷却ローラ８の上にはウエブ２をはさむ様に押さえローラ３が設置されている。なお、この接触点はウエブ２が冷却ローラ８に接する点が良い。また押さえローラ３には中間ローラ１０が接しており、これ等のローラ３，１０の間に向けて、水を供給する水噴出ノズル９が設置されている。・・・また、押さえローラ３は、ローラ３，８の間にウエブ２が入った状態で冷却ローラ８に接しているが、過度の押さえ力が発生しない様に軸間距離を調整されている。これには例えば図２，図３に示す様に、冷却ローラ８の軸を保持している冷却ローラシャーシ１３と、押さえローラ３の軸を保持している押さえローラ軸受シャーシ１５とを、ねじ１４で結び、その相対距離を調整ボルト１６で調整することで実現できる。」（段落【０００７】２〜１３行、図１〜４），「また中間ローラ１０は押さえローラ３に均一に保水させるために効果的である。」（段落【０００９】４〜５行），「図５には本考案の第２実施例を示す。第１実施例との違いは、押さえローラ３に水を供給するのに際して、噴出ノズル９を廃して水タンク１２と水元ローラ１１を設置した点であり、」（段落【００１１】１〜３行、図５）と記載され、
　作用効果に関して、「更に、押さえローラ３から水が直接ウエブ２に移るため、従来のノズルによる紙への吸水に比べて、水が均一に転移し、局部的な水濡れによる断紙の心配がなくなり、多量の水をつけることができる、という利点があり、インキの有りなしによって異なっている収縮量へ差を小さくすることができるため、一層「火じわ」発生を抑制することが可能になる。」（段落【００１０】１〜５行）と記載されており、
　これらの記載及び第１〜５図の記載を参照すると、甲第１号証には、「印刷され乾燥された後に冷却ローラ８の外周に巻き付けられて供給されるウエブ２の乾燥防止装置において、前記冷却ローラ８の軸を支持する冷却ローラシャーシ１３に対して移動可能に取り付けられ押さえローラ３の軸を支持する押さえローラ軸受シャーシ１５とをねじ１４で結びその相対距離を調整ボルト１６で調整自在とし、そして、水の貯えられた水タンク１２或いは水噴出ノズル９への水供給手段と、前記水タンク１２に貯えられた或いは水噴出ノズル９への水供給手段の水を外部へ搬出する水元ローラ１１或いは水噴出ノズル９と、水元ローラ１１或いは水噴出ノズル９からの水を受け、前記冷却ローラ８に対向してウエブ２を押圧しつつ該受け取った水をウエブ２に供給する押さえローラ３及び中間ローラ１０と、前記押さえローラ３と前記冷却ローラ８との間に過度の押さえ力が発生しないように軸間距離を調整できるようにした乾燥防止装置。」が記載されている。
〔２〕甲第２号証〔ドイツ連邦共和国特許出願公開第４０２１２９６号明細書〕  
　甲第２号証には、オフセット印刷機のウエブ材料（印刷紙）の加湿を含むコンディショニング装置、即ち、印刷紙の加湿装置に関する発明が図面とともに記載され、１欄３〜１４行，２欄１２〜２１行，５２〜５５行及び３欄５〜９行の記載についての翻訳文の記載、並びに、Ｆｉｇ．１〜４の記載を参照すると、以下のような印刷紙の加湿装置が記載されている。
　「印刷紙の水分量を適切な値に設定し、また印刷紙に一定の所望の特性を付与するために、冷却ローラスタンドで印刷紙を冷却した後で行われる加湿のために使用される加湿装置であって、両側のフレーム１（ハウジング）に取り付けられた加湿機構が水着ロール８（供給手段，水着ロール〈以下同様〉），水元ロール９（搬出手段，水元ロール〈以下同様〉），加湿剤槽１０（貯留手段），等からなり、且つ、加湿機構全体が水元ロール９の軸を中心に旋回可能に支承され、シリンダ１２の引き込み及び送り出しによって水着ロール８を印刷紙から離したり接触したりできるようになっている印刷紙の加湿装置。」（但し、（）内は本件発明における対応する部材名を示す。）
〔３〕甲第３号証〔特開昭６１−２５４３４５号公報〕
　甲第３号証には、オフセット輪転機における水装置に関する発明が図面とともに記載され、２頁右上欄２〜２０行，２頁右下欄６〜１７行及び３頁左上欄２行〜右上欄１０行の記載、並びに、第１〜７図の記載を参照すると、以下のようなオフセット輪転機における水装置が記載されている。
　「水７（加湿液〈以下同様〉）の貯えられた水槽１（貯留手段〈以下同様〉）と、前記水槽１に貯えられた水７に下部を浸すようにして回転自在となるように設けられ、前記水槽１に貯えられた水７を外部へ搬出する水出ローラ２（搬出手段，水元ロール〈以下同様〉）と、前記水出ローラ２の上方に設けられ、前記水出ローラ２により搬出された水７を水出ローラ２から適量だけ分離しはじき飛ばすように先端部を前記水出ローラ２に当接させたブラシを外周に植設された回転自在なブラシローラ３（分離手段，ブラシロール〈以下同様〉）と、前記ブラシローラ３から離れて設けられ、前記ブラシローラ３により分離されはじき飛ばされた水７を受ける水ならしローラ４（供給手段，慣らしロール〈以下同様〉）と、前記水ならしローラ４に摺接する水付けローラ６（供給手段，水着ロール）とからなる水装置であって、供給水量の調整を、水出ローラ２の回転速度、或いは、前記ブラシローラ３と前記水出ローラ２との押付圧、即ち、両ローラの軸間距離を変更することにより行うようにした水装置。」（但し、（）内は本件発明における対応する部材名を示す。）
　　　　　　
【４】本件発明１〜６と甲各号証に記載された発明との対比・判断
〔１〕本件発明１について
１．本件発明１と甲第１号証に記載された発明との対比・判断
　甲第１号証に記載された発明における「冷却ローラ８」，「ウエブ２」，「冷却ローラシャーシ１３」，「水」，「水タンク１２或いは水噴出ノズル９への水供給手段」，「水元ローラ１１或いは水噴出ノズル９」，「押さえローラ３及び中間ローラ１０」は、本件発明１における「供給ロール」，「印刷紙」，「ハウジング」，「加湿液」，「貯留手段」，「搬出手段」，「供給手段」に相当するから、本件発明１と甲第１号証に記載された発明とは、「印刷され乾燥された後に供給ロールの外周に巻き付けられて供給される印刷紙の乾燥防止装置において、加湿液の貯えられた貯留手段と、前記貯留手段に貯えられた加湿液を外部へ搬出する搬出手段と、搬出手段からの加湿液を受け、前記供給ロールに対向して印刷紙を押圧しつつ該受け取った加湿液を印刷紙に供給する供給手段とからなる乾燥防止装置。」という概略的な構成においては一致するものの、以下の点で細部の構成において相違する。
（ａ）本件発明１が、供給ロールを支持するハウジングに対して水平方向に移動可能に取り付けられたケースに貯留手段，搬出手段，分離手段，供給手段を設けており、これらの各手段が供給ロールに対してケースと一体となって移動自在であるのに対し、
　甲第１号証に記載された発明は、貯留手段（水タンク１２，水噴出ノズル９への水供給手段），搬出手段（水元ローラ１１，水噴出ノズル９），供給手段（押さえローラ３，中間ローラ１０）をケースに設けておらず、従って、これらの各手段が供給ロール（冷却ローラ８）に対してケースと一体となって移動自在としたものではない点。　
（ｂ）本件発明１が、供給手段を、供給ロールに対して印刷紙を押圧する当接位置と供給ロールから離間する離間位置との間でケースの移動を介して水平方向に移動自在にしたのに対し、
　甲第１号証に記載された発明は、供給手段（押さえローラ３）の軸と供給ロール（冷却ローラ８）の軸との相対距離を調整できるものであるが、該調整は供給手段（押さえローラ３）と供給ロール（冷却ローラ８）との間の押さえ力の調整のためのものである点。
（ｃ）本件発明１が、搬出手段により搬出された加湿液を搬出手段から適量だけ分離しはじき飛ばす分離手段を有しているのに対し、
　甲第１号証に記載された発明は、搬出手段（水元ローラ１１，水噴出ノズル９）により搬出された加湿液（水）を搬出手段から適量だけ分離しはじき飛ばす分離手段は有しておらず、従って、供給手段（押さえローラ３，中間ローラ１０）が該搬出手段により搬出された加湿液（水）のうち適量だけ分離しはじき飛ばされた分を受け取るものではない点。
２．各構成の相違点（ａ），（ｂ），（ｃ）についての検討
　上記各構成の相違点（ａ），（ｂ），（ｃ）を検討するに当たり、甲第２，３号証に記載された発明を参酌すると、
　甲第２号証に記載された発明は、ハウジング（両側のフレーム１）に取り付けられる供給手段（水着ロール８），搬出手段（水元ロール９），貯留手段（加湿剤槽１０），等からなる加湿機構全体が、搬出手段の軸を中心にシリンダ１２の引き込み及び送り出しによって供給手段を印刷紙から離したり接触したりできるように旋回可能に支承するものであるが、各手段をケースに設けておらず、しかも、該供給手段に対向して供給ロールが存在しないため、該供給手段は印刷紙を供給ロールとの間で押圧するものではなく、さらに、該供給手段の移動は水平移動ではなく旋回移動であるから、加湿機構全体の構成をはじめとして設置態様及び移動態様において、本件発明１のものとは異なっており、
　また、甲第３号証に記載された発明は、本件発明１と同様の貯留手段（水槽１），搬出手段（水出ローラ２），分離手段（ブラシローラ３）及び供給手段（水ならしローラ４，水付けローラ６）を有しているものであるが、当該発明は印刷紙の乾燥防止装置に係るものではなく、しかも、各手段がケースに設置されておらず、さらに、該供給手段が移動自在なものではないから、装置の目的をはじめとして、装置全体の設置態様において、本件発明１のものとは異なっている。
　従って、上記相違点（ａ），（ｂ），（ｃ）に係る構成については、甲第２，３号証に記載された発明には何ら開示されていないというべきであり、甲第１号証に記載された発明において、甲第２，３号証に記載された発明を参酌しても上記相違点（ａ），（ｂ），（ｃ）に係る構成については当業者が容易に想到しうるものとすることはできない。
　また、本件発明１は、上記相違点（ａ），（ｂ），（ｃ）に係る構成を具備することにより、甲第１〜３号証に記載された発明からは期待できない格別の作用効果、即ち、紙質によっては乾燥防止装置を必要としない場合や印刷準備のため連続紙の先端を冷却ロールの外周に巻き付けてゆく際に乾燥防止装置がじゃまとなる場合であっても対処することができる（段落【００１７】参照），分離手段が適量の加湿液を供給手段に分与して供給手段が印刷紙に対して押圧しつつ加湿液を供給するので紙の内部まで適量の水分が補給される（段落【００２０】参照），等の特許明細書に記載された作用効果、さらには、加湿液が移動の際にこぼれにくい，供給手段の当接圧の設定を容易にできる，コンパクトな印刷紙の乾燥防止装置を得られる，既存の印刷機に容易に後付けできる，等の作用効果、を奏するものと認められる。
　結局、本件発明１は、甲第１〜３号証に記載された発明に基づき当業者が容易に発明をすることができたものと認めることはできない。
〔２〕本件発明２〜６について
　本件発明２〜６は、それぞれ、本件発明１における「搬出手段」について限定し（本件発明２）、本件発明２における「水元ロール」について限定し（本件発明３）、本件発明２又は３における「分離手段」について限定し（本件発明４）、本件発明４における「ブラシロール」と「水元ロール」と関係について限定し（本件発明５）、本件発明１における「供給手段」について限定し（本件発明６）たものであるから、本件発明１が甲第１〜３号証に記載された発明に基づき当業者が容易に発明をすることができたものと認めることができない以上、同様に、本件発明２〜６も、甲第１〜３号証に記載された発明に基づき当業者が容易に発明をすることができたものと認めることができない。
　　　　　　
【５】異議申立人の主張についての結論
　本件発明１〜６は、少なくとも、上記相違点（ａ），（ｂ），（ｃ）に係る構成を発明を特定する事項とするものであり、当該事項を具備することにより、甲第１〜３号証に記載された発明からは期待できない格別の作用効果を奏するものと認められる。
　従って、本件発明１〜６が本件出願前に公知である甲第１〜３号証に記載された発明から当業者が容易に想到したものと認められるとし、本件発明１〜６の特許が特許法第２９条第２項の規定に違反してされたものであるという異議申立人の主張は採用できない。
　　　　　　
【６】取消理由
〔１〕取消理由通知書の取消理由の概要
　当審は、平成１２年１月１９日付け取消理由通知書において、上記甲第１〜３号証を、それぞれ、刊行物１〜３として引用し、本件発明１〜６は、各刊行物に記載された発明から当業者が容易に発明することができたものであるから、特許法第２９条第２項の規定により特許を受けることができないものである旨の取消理由を通知した。
〔２〕取消理由についての検討　
　刊行物１〜３は、それぞれ、甲第１〜３号証であるから、各刊行物に記載された発明は上記【３】「甲各号証に記載された発明」の項に記載したとおりであり、また、本件発明１〜６と各刊行物に記載された発明との一致点及び相違点は、上記【４】「本件発明１〜６と甲各号証に記載された発明との対比・判断」の項に記載したとおりである。
〔３〕取消理由についての結論
　結局、本件発明１〜６の特許は、特許法第２９条第２項の規定に違反してされたものということができない。
　　　　　　
　　　　　　
［むすび］
　以上のとおりであるから、異議申立の理由および証拠方法によっては、本件発明の特許を取り消すことはできない。
　また、他に本件発明の特許を取り消すべき理由を発見しない。
　従って、本件発明の特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。　
【異議決定日】
平成１２年６月２日（２０００．６．２）
【訂正の要旨】
訂正の要旨
〔１〕訂正事項ａ
　特許明細書中、特許請求の範囲の請求項１において、「前記供給ロールを支持するハウジングに対して移動可能に取り付けられるケース」を、「前記供給ロールを支持するハウジングに対して水平方向に移動可能に取り付けられるケース」と訂正する。
〔２〕訂正事項ｂ
　特許明細書中、特許請求の範囲の請求項１において、「前記ケースに設けられ、加湿液の貯えられた貯留手段」を、「前記ケースの下部に設けられ、加湿液の貯えられた貯留手段」と訂正する。
〔３〕訂正事項ｃ
　特許明細書中、特許請求の範囲の請求項１において、「前記ケースに設けられ、前記貯留手段に貯えられた加湿液を外部へ搬出する搬出手段」を、「前記貯留手段に貯えられた加湿液に下部を浸すようにして前記ケースに回転自在となるように設けられ、前記貯留手段に貯えられた加湿液を外部へ搬出する搬出手段」と訂正する。
〔４〕訂正事項ｄ
　特許明細書中、特許請求の範囲の請求項１において、「前記ケースに設けられ、前記搬出手段により搬出された加湿液を搬出手段から適量だけ分離しはじき飛ばす分離手段」を、「前記搬出手段の上方において前記ケースに設けられ、前記搬出手段により搬出された加湿液を搬出手段から適量だけ分離しはじき飛ばす分離手段」と訂正する。
〔５〕訂正事項ｅ
　特許明細書中、特許請求の範囲の請求項１において、「前記供給手段が前記供給ロールに当接する当接位置と前記供給手段が前記供給ロールから離間する離間位置との間で」を、「前記供給手段が前記供給ロールに対して印刷紙を押圧する当接位置と前記供給手段が前記供給ロールから離間する離間位置との間で」と訂正する。
〔６〕訂正事項ｆ
　特許明細書中、特許請求の範囲の請求項１において、「前記ケースを前記供給ロールに対して移動させる移動手段」を、「前記ケースを前記供給ロールに対して水平方向に移動させる移動手段」と訂正する。
〔７〕訂正事項ｇ
　特許明細書中、発明の詳細な説明の段落【０００６】（【課題を解決するための手段】）において、「本発明の印刷紙の乾燥防止装置は、印刷され乾燥された後に供給ロールの外周に巻き付けられて供給される印刷紙の乾燥防止装置において、前記供給ロールを支持するハウジングに対して移動可能に取り付けられるケースと、前記ケースに設けられ、加湿液の貯えられた貯留手段と、前記ケースに設けられ、前記貯留手段に貯えられた加湿液を外部へ搬出する搬出手段と、前記ケースに設けられ、前記搬出手段により搬出された加湿液を搬出手段から適量だけ分離しはじき飛ばす分離手段と、前記分離手段から離れて前記ケースに設けられ、前記分離手段により分離されはじき飛ばされた加湿液を受け、前記供給ロールに対向して印刷紙を押圧しつつ該受け取った加湿液を印刷紙に供給する供給手段と、前記供給手段が前記供給ロールに当接する当接位置と前記供給手段が前記供給ロールから離間する離間位置との間で、前記ケースを前記供給ロールに対して移動させる移動手段とからなることを特徴とする。」を、「本発明の印刷紙の乾燥防止装置は、印刷され乾燥された後に供給ロールの外周に巻き付けられて供給される印刷紙の乾燥防止装置において、前記供給ロールを支持するハウジングに対して水平方向に移動可能に取り付けられるケースと、前記ケースの下部に設けられ、加湿液の貯えられた貯留手段と、前記貯留手段に貯えられた加湿液に下部を浸すようにして前記ケースに回転自在となるように設けられ、前記貯留手段に貯えられた加湿液を外部へ搬出する搬出手段と、前記搬出手段の上方において前記ケースに設けられ、前記搬出手段により搬出された加湿液を搬出手段から適量だけ分離しはじき飛ばす分離手段と、前記分離手段から離れて前記ケースに設けられ、前記分離手段により分離されはじき飛ばされた加湿液を受け、前記供給ロールに対向して印刷紙を押圧しつつ該受け取った加湿液を印刷紙に供給する供給手段と、前記供給手段が前記供給ロールに対して印刷紙を押圧する当接位置と前記供給手段が前記供給ロールから離間する離間位置との間で、前記ケースを前記供給ロールに対して水平方向に移動させる移動手段とからなることを特徴とする。」と訂正する。
（５４）【発明の名称】
印刷紙の乾燥防止装置
（５７）【特許請求の範囲】
　【請求項１】
　印刷され乾燥された後に供給ロールの外周に巻き付けられて供給される印刷紙の乾燥防止装置において、前記供給ロールを支持するハウジングに対して水平方向に移動可能に取り付けられるケースと、前記ケースの下部に設けられ、加湿液の貯えられた貯留手段と、前記貯留手段に貯えられた加湿液に下部を浸すようにして前記ケースに回転自在となるように設けられ、前記貯留手段に貯えられた加湿液を外部へ搬出する搬出手段と、前記搬出手段の上方において前記ケースに設けられ、前記搬出手段により搬出された加湿液を搬出手段から適量だけ分離しはじき飛ばす分離手段と、前記分離手段から離れて前記ケースに設けられ、前記分離手段により分離されはじき飛ばされた加湿液を受け、前記供給ロールに対向して印刷紙を押圧しつつ該受け取った加湿液を印刷紙に供給する供給手段と、前記供給手段が前記供給ロールに対して印刷紙を押圧する当接位置と前記供給手段が前記供給ロールから離間する離間位置との間で、前記ケースを前記供給ロールに対して水平方向に移動させる移動手段とからなる乾燥防止装置。
　【請求項２】
　前記搬出手段は、前記貯留手段に下部を浸している回転自在な水元ロールからなる請求項に１記載の乾燥防止装置。
　【請求項３】
　前記水元ロールの回転速度は調節自在となっている請求項２に記載の乾燥防止装置。
　【請求項４】
　前記分離手段は、先端部を前記水元ロールに当接させたブラシを外周に植設された回転自在なブラシロールからなる請求項２又は３に記載の乾燥防止装置。
　【請求項５】
　前記ブラシロールと前記水元ロールとの軸間距離を変更する変更手段を設けた請求項４に記載の乾燥防止装置。
　【請求項６】
　前記供給手段は、前記供給ロールに当接する水着ロールと、前記水着ロールに当接する慣らしロールとからなる請求項１に記載の乾燥防止装置。
【発明の詳細な説明】
　【０００１】
　【産業上の利用分野】
本発明は印刷紙の乾燥防止装置に関する。
　【０００２】
　【従来技術】
　輪転印刷機においては、連続した紙に印刷ロールを用いて印刷した後、この印刷紙を所定の寸法に裁断して排出するようになっている。ところで、このような輪転印刷機においては高速で動作するために、印刷行程で紙に付着したインクが乾く前に紙が重ねられることによって紙が汚れる等の問題があった。従って従来技術においては、このような紙の汚れを防止すべく、印刷行程の後に紙を乾かすドライ行程を設けている。このドライ行程においては、熱風を印刷紙にあてて強制的にインクを乾かすようになっている。
　【０００３】
　【解決すべき課題】
　しかしながら、このようなドライ行程を経た後は、インクのみならず紙からも水分が除去されるため、紙の弾力性が失われて曲げに対してひび割れや裂け等が生じやすくなる。また、その状態で裁断された後に吸湿することにより紙の寸法が変化して裁断端が不揃いとなり、製品の品質低下が生じる。これに対し、単に霧吹きで印刷紙に水を噴霧するという対策では、紙の内部まで水分が補充されず同様の不具合が生じ、一方、刷毛で印刷紙に水を直接塗布するという対策では、望まぬ紙の濡れや伸縮等の不具合が予想される。
　【０００４】
　なお従来技術においては、ドライ行程を経た後、冷却水が内部を通過するいわゆる冷却ロールの外周に印刷紙を巻き付けて印刷紙の冷却を行っているが、この冷却ロールのみでは紙の乾燥という不具合は防止されない。
　【０００５】
　本発明は、簡素でありながら、適切な量の水分を印刷紙に供給することにより、印刷紙の乾燥を防止することができる、印刷紙の乾燥防止装置を提供することを目的とする。
　【０００６】
　【課題を解決するための手段】
　本発明の印刷紙の乾燥防止装置は、印刷され乾燥された後に供給ロールの外周に巻き付けられて供給される印刷紙の乾燥防止装置において、前記供給ロールを支持するハウジングに対して水平方向に移動可能に取り付けられるケースと、前記ケースの下部に設けられ、加湿液の貯えられた貯留手段と、前記貯留手段に貯えられた加湿液に下部を浸すようにして前記ケースに回転自在となるように設けられ、前記貯留手段に貯えられた加湿液を外部へ搬出する搬出手段と、前記搬出手段の上方において前記ケースに設けられ、前記搬出手段により搬出された加湿液を搬出手段から適量だけ分離しはじき飛ばす分離手段と、前記分離手段から離れて前記ケースに設けられ、前記分離手段により分離されはじき飛ばされた加湿液を受け、前記供給ロールに対向して印刷紙を押圧しつつ該受け取った加湿液を印刷紙に供給する供給手段と、前記供給手段が前記供給ロールに対して印刷紙を押圧する当接位置と前記供給手段が前記供給ロールから離間する離間位置との間で、前記ケースを前記供給ロールに対して水平方向に移動させる移動手段とからなることを特徴とする。
　【０００７】
　【作用】
　本発明の印刷紙の乾燥防止装置によれば、該分離手段が、適量の加湿液を供給手段に分与するようになっており、該供給手段が印刷紙を押圧しつつ加湿液を印刷紙に供給するようになっているため、紙の内部まで適量の水分が補給されるようになっている。
　【０００８】
　【実施例】
本発明の実施例を図面を参照して以下に説明する。図１は、印刷機の一部である冷却装置１００の概略断面図である。図１において、ハウジング１０１に４本の冷却ロール１０２が回転自在に支持されている。ドライ行程Ａを経て熱せられた印刷紙Ｐは、冷却装置１００内に侵入し、冷却ロール１０２の周囲を取り巻きつつ通過して冷却され、次の裁断行程Ｂに至るようになっている。なお、供給ロールを構成する冷却ロール１０２は、その内部に冷却水を通して外周を冷却し、それにより巻き付いた印刷紙を冷却するものであるが、その構成自体は公知であるため詳細な説明を省略する。２本の冷却ロール１０２に近接して、ハウジング１０１に乾燥防止装置２００が設けられている。なお、説明の都合上一方の乾燥防止装置２００のみ詳細に記載するが、その構成・作用は他方の装置も同じである。
　【０００９】
　図２は、乾燥防止装置２００の拡大断面図である。図３は、図２の乾燥防止装置をＩＩＩ方向から見た図であり、図４は、同じくＩＶ方向から見た図であるが、図３の左半部においては慣らしロールとブラシロールを除去して示している。一部のみ示す冷却装置１００のハウジング１０１に、乾燥防止装置２００のケース２０１が水平方向に移動自在に設けられている。ケース２０１の下部には、箱状の水舟２０２が設けられており、水舟２０２内には加湿液である水が貯留されている。なお、水舟２０２が貯留手段を構成する。
　【００１０】
　水舟２０２に貯留された水に下部を浸すようにして、水元ロール２０３がケース２０１に対して回転自在となるように配置されている。水元ロール２０３は、同様にケース２０１に取り付けられたモータ２０４により、歯付ベルト２０５を介して駆動されるようになっている。モータ２０４は不図示の制御装置により、その回転速度を変化自在となっている。なお、水元ロール２０３とモータ２０４及び歯付ベルト２０５で搬出手段を構成する。
　【００１１】
　水元ロール２０３の上方において、ブラシロール２０６がケース２０１に対して回転自在となるよう配置されている。ブラシロール２０６の外周には、無数のブラシ２０６ａが植設されており、ブラシ２０６ａの先端は、水元ロール２０３の外周に当接している。ブラシロール２０６は、同様にケース２０１に取り付けられたモータ２０７により、歯付ベルト２０８を介して駆動されるようになっている。本実施例においては、モータ２０７は回転速度が一定である。なお、ブラシロール２０６とモータ２０７及び歯付ベルト２０８で分離手段を構成する。
　【００１２】
　ブラシロール２０６は、その両端より突出する支持部２０６ａ（図３）で、偏心メタル２１０を介してケース２０１に支持されている。偏心メタル２１０は、ケース２０１の円孔に嵌合した外周円筒面と、支持部２０６ａを嵌合させた内周円筒面とを有するが、それら円筒面の軸線位置を異ならせている。従って、ブラシロール２０６はその軸線周りに自在に回転できる一方で、ケース２０１に対して偏心メタル２１０が回転すればそれに従ってブラシロールの回転軸線も移動するようになっている。更に偏心メタル２１０は、一体で回転するアーム部２１０ａ（図３）を有しており、一方アーム部の先端に螺合してアーム部２１０ａ即ち偏心メタル２１０を回転（枢動）させるスクリュー２１１が、ケース２０１の上部に設けられている。なお、偏心メタル２１０とスクリュー２１１とで変更手段を構成する。
　【００１３】
　ブラシロール２０６に対向して、水着ロール２１２がケース２０１に対して回転自在に配置されている。水着ロール２１２の外周には、ゴム材２１２ａが被覆されている。このゴム材２１２ａに当接するようにして慣らしロール２１３が、ケース２０１に対して回転自在となるよう配置されている。中空の筒である慣らしロール２１３は、図３において明らかなように、ケース２０１に取り付けられた偏心軸２１５により軸受２１３ａを介して両端を支持されている。偏心軸２１５をケース２０１に対して回転させることにより、慣らしロール２１３は水着ロール２１２から離隔自在となっている。なお、本実施例においては、水着ロール２１２及び慣らしロール２１３が供給手段を構成するが、別な実施例においては、慣らしロールを排除し水着ロールのみで供給手段を構成しても良い。
　【００１４】
　ハウジング１０１に対して、ケース２０１を水平方向に駆動するエアシリンダー２１４が設けられている。エアシリンダー２１４が引っ込んだ位置では、水着ロール２１２が印刷紙Ｐを介在させつつ冷却ロール１０２に当接しており、一方エアシリンダー２１４が延びきった位置では、水着ロール２１２と冷却ロール１０２とは離隔するようになっている。エアシリンダー２１４が移動手段を構成する。
　【００１５】
　次に、本発明の実施例の作用につき図面を参照して説明する。図２において、エアシリンダー２１４が引っ込んで、水着ロール２１２は、冷却ロール１０２の当接しているものとする。モータ駆動された水元ロール２０３によりその外周にかき揚げられた水舟２０２内の水は、モータ駆動されたブラシロール２０６のブラシ２０６ａの先端ではじき飛ばされ、水着ロール２１２の外周に付着する。
　【００１６】
　ここで水着ロール２１２は印刷紙Ｐを介在させつつ冷却ロール１０２に当接しており、よって冷却ロール１０２により回転駆動される。また慣らしロール２１３は水着ロール２１２により回転駆動される。従って、水着ロール２１２の外周に付着した水は、慣らしロール２１３により均一な膜厚とされた後、冷却ロール１０２と水着ロール２１２との間で印刷紙Ｐの厚さ方向内方に向かって押圧されて、それにより紙の内部まで水がしみこむようになっている。
　【００１７】
　一方、エアシリンダー２１４が延びきった状態では、水着ロール２１２が冷却ロール１０２より通常５０ｍｍ程度離隔しているため、上述の作用は生じない。紙質によっては乾燥防止装置を必要としない場合があるからであり、また印刷準備のため印刷すべき連続紙の先端を冷却ロール１０２の外周に巻き付けてゆく際に、乾燥防止装置がじゃまにならないようにするためである。
　【００１８】
　印刷紙Ｐに供給する水の量を変更する方法は、２通りある。まず、モータ２０４の回転速度を加減して、水元ロール２０３が水舟２０２よりかき揚げる水の量を変更するのである。もう一つの方法は、スクリュー２１１を回転させ、偏心メタル２１０を枢動させて、ブラシ２０６ａの水元ロール２０３に対する当接量を変更しはじき飛ばす水の量を変更するのである。これにより、紙質によって微妙に水の量を変えることができ、製品の品質を向上させることができる。
　【００１９】
　以上、本発明を実施例を参照して説明してきたが、本発明は上記実施例に限定して解釈されるべきではなく、適宜変更・改良が可能であることはもちろんである。例えば、変更手段は偏心メタルに限らず、ブラシロールと水元ロールの軸間距離を変更できる構成であれば足りる。
　【００２０】
　【発明の効果】
　以上述べたように、本発明の印刷紙の乾燥防止装置によれば、該分離手段が、適量の加湿液を供給手段に分与するようになっており、該供給手段が印刷紙にして押圧しつつ加湿液を印刷紙に供給するようになっているため、紙の内部まで適量の水分が補給されるようになっている。
【図面の簡単な説明】
　【図１】
　印刷機の一部である冷却装置１００の概略断面図である。
　【図２】
　乾燥防止装置２００の拡大断面図である。
　【図３】
　図２の乾燥防止装置をＩＩＩ方向から見た図であるが、左半部においては慣らしロールとブラシロールを除去して示してい。
　【図４】
　図２の乾燥防止装置をＩＶ方向から見た図である。
　【符号の説明】
　１０１　ハウジング
　２０１　ケース
　２０２　水舟
　２０３　水元ロール
　２０６　ブラシロール
　２１２　水着ロール
　２１３　慣らしロール
　２１４　エアシリンダー